(57)【要約】【課題】  被施療者の仙腸関節に刺激を与えて、硬くなった動きを取り戻すことで、骨盤のバランスを回復できる骨盤矯正器を提供する。【解決手段】  被施療者を囲んで、右背面用追圧手段３を前方に移動させると共に左前面用追圧手段５を後方に移動させたときに、左背面用追圧手段２及び右前面用追圧手段６を停止状態に保持可能とし、左背面用追圧手段２を前方に移動させると共に右前面用追圧手段６を後方に移動させたときに、右背面用追圧手段３及び左前面用追圧手段５を停止状態に保持可能なるように制御してなる。【選択図】    図３
2007037799.tif 000002
【特許請求の範囲】
【請求項１】
硬質状フレームの被施療者の左右双方の腸骨の背面それぞれに対向する位置に支持され且つ該腸骨を前方に移動させることが可能なる左背面用追圧手段及び右背面用追圧手段と、
被施療者の骨盤を巻装可能なる非伸縮性のバンドと、
該バンドに支持され且つ該バンドを被施療者の骨盤に巻装した状態で被施療者の左右双方の腸骨の前面それぞれに対向する位置になるように支持されると共に前記腸骨を後方に移動可能なる左前面用追圧手段及び右前面用追圧手段とよりなり、
前記右背面用追圧手段を前方に移動させると共に前記左前面用追圧手段を後方に移動させたときに、前記左背面用追圧手段及び前記右前面用追圧手段を停止状態に保持可能とし、
前記左背面用追圧手段を前方に移動させると共に前記右前面用追圧手段を後方に移動させたときに、前記右背面用追圧手段及び前記左前面用追圧手段を停止状態に保持可能なるように制御したことを特徴とする骨盤矯正器。
【請求項２】
請求項１に記載の骨盤矯正器であって、
前記バンドには、被施療者の大腿部を縛ることが可能なる大腿部緊帯バンドを吊設してなることを特徴とする骨盤矯正器。
【請求項３】
硬質状フレームの被施療者の左右双方の腸骨の背面それぞれに対向する位置に支持され且つ該腸骨を前方に移動させることが可能なる左背面用追圧手段及び右背面用追圧手段と、
被施療者の骨盤の側方に配された硬質状第２フレームに支持され且つ該骨盤の双方の腸骨の前面それぞれに対向する位置になるように支持されて腸骨を後方に移動可能なる第２左前面用追圧手段及び第２右前面用追圧手段とよりなり、
前記右背面用追圧手段を前方に移動させると共に前記第２左前面用追圧手段を後方に移動させたときに、前記左背面用追圧手段及び前記第２右前面用追圧手段を停止状態に保持可能とし、
前記左背面用追圧手段を前方に移動させると共に前記第２右前面用追圧手段を後方に移動させたときに、前記右背面用追圧手段及び前記第２左前面用追圧手段を停止状態に保持可能なるように制御したことを特徴とする骨盤矯正器。
【請求項４】
請求項１乃至請求項３の何れか１項に記載の骨盤矯正器であって、
前記追圧手段は、エアバッグよりなることを特徴とする骨盤矯正器。
【請求項５】
請求項４に記載の骨盤矯正器であって、
前記エアバッグは、常時は平面状をなし且つ所定の大きさに膨満可能なるバッグ本体と、該バッグ本体にパイプを介して気体を圧送可能なるポンプとより構成してなることを特徴とする骨盤矯正器。
【請求項６】
請求項１乃至請求項５の何れか１項に記載の骨盤矯正器であって、
前記追圧手段には、所定の周波数での振動が可能なるバイブレータ手段を備えてなることを特徴とする骨盤矯正器。
【請求項７】
請求項１乃至請求項６の何れか１項に記載の骨盤矯正器であって、
前記追圧手段には、所定温度に制御可能なるヒータ手段を備えてなることを特徴とする骨盤矯正器。
【発明の詳細な説明】
【技術分野】
【０００１】
この発明は、被施療者の骨盤や、腰部、脚部に種々の方向から追圧を加えることが可能なる骨盤矯正器に関するものである。
【背景技術】
【０００２】
従来の骨盤矯正器としては、被施療者の臀部の上下を覆える幅と臀部から腹部の外周に巻装する長さを有する非伸縮性バンドの両端部に一対の係止部を設け、このバンドの一面側中間部に気体の注入によって膨満するエアバッグを設け、このバンドの他面側にエアバッグと気体供給チューブを接続する接続部を設けたものである（例えば特許文献１。）。
【特許文献１】特許第２７７３８３２号公報
【発明の開示】
【発明が解決しようとする課題】
【０００３】
しかしながら、かかる従来技術は、エアバッグはバンドの一箇所に支持しただけであるので、そのエアバッグを膨満させると、エアバッグに対向した位置にある被施療者の部分、例えば腹部が押し込まれ、その反力でバンドに引き締め力を発生させるものであるから、エアバッグを膨満させることで骨盤を閉じる方向に付勢し、エアバッグから気体を抜くことで骨盤を閉じる方向に付勢した力を解除するだけであって、仙腸関節を矯正するには至りにくく、改善が望まれている。
【０００４】
そこで、この発明は、このような従来の技術の欠点に着目してなされたものであり、被施療者の仙腸関節に刺激を与えて、硬くなった動きを取り戻すことで、骨盤のバランスを回復できる骨盤矯正器を提供するものである。
【課題を解決するための手段】
【０００５】
請求項１に記載の発明は、硬質状フレームの被施療者の左右双方の腸骨の背面それぞれに対向する位置に支持され且つ該腸骨を前方に移動させることが可能なる左背面用追圧手段及び右背面用追圧手段と、被施療者の骨盤を巻装可能なる非伸縮性のバンドと、該バンドに支持され且つ該バンドを被施療者の骨盤に巻装した状態で被施療者の左右双方の腸骨の前面それぞれに対向する位置になるように支持されると共に前記腸骨を後方に移動可能なる左前面用追圧手段及び右前面用追圧手段とよりなり、前記右背面用追圧手段を前方に移動させると共に前記左前面用追圧手段を後方に移動させたときに、前記左背面用追圧手段及び前記右前面用追圧手段を停止状態に保持可能とし、前記左背面用追圧手段を前方に移動させると共に前記右前面用追圧手段を後方に移動させたときに、前記右背面用追圧手段及び前記左前面用追圧手段を停止状態に保持可能なるように制御したことを特徴とする。この発明での「追圧」は、押圧と同義であり、例えば、左背面用追圧手段であれば、腸骨を前方に移動させるべく腸骨自体を押すことのできる手段を意味する。以下同じである。
【０００６】
請求項２に記載の発明は、請求項１に記載の骨盤矯正器であって、前記バンドには、被施療者の大腿部を縛ることが可能なる大腿部緊帯バンドを吊設してなることを特徴とする。
【０００７】
請求項３に記載の発明は、硬質状フレームの被施療者の左右双方の腸骨の背面それぞれに対向する位置に支持され且つ該腸骨を前方に移動させることが可能なる左背面用追圧手段及び右背面用追圧手段と、被施療者の骨盤の側方に配された硬質状第２フレームに支持され且つ該骨盤の双方の腸骨の前面それぞれに対向する位置になるように支持されて腸骨を後方に移動可能なる第２左前面用追圧手段及び第２右前面用追圧手段とよりなり、前記右背面用追圧手段を前方に移動させると共に前記第２左前面用追圧手段を後方に移動させたときに、前記左背面用追圧手段及び前記第２右前面用追圧手段を停止状態に保持可能とし、前記左背面用追圧手段を前方に移動させると共に前記第２右前面用追圧手段を後方に移動させたときに、前記右背面用追圧手段及び前記第２左前面用追圧手段を停止状態に保持可能なるように制御したことを特徴とする。
【０００８】
請求項４に記載の発明は、請求項１乃至請求項３の何れか１項に記載の骨盤矯正器であって、前記追圧手段は、エアバッグよりなることを特徴とする。
【０００９】
請求項５に記載の発明は、請求項４に記載の骨盤矯正器であって、前記エアバッグは、常時は平面状をなし且つ所定の大きさに膨満可能なるバッグ本体と、該バッグ本体にパイプを介して気体を圧送可能なるポンプとより構成してなることを特徴とする。
【００１０】
請求項６に記載の発明は、請求項１乃至請求項５の何れか１項に記載の骨盤矯正器であって、前記追圧手段には、所定の周波数での振動が可能なるバイブレータ手段を備えてなることを特徴とする。
【００１１】
請求項７に記載の発明は、請求項１乃至請求項６の何れか１項に記載の骨盤矯正器であって、前記追圧手段には、所定温度に制御可能なるヒータ手段を備えてなることを特徴とする。
【発明の効果】
【００１２】
請求項１に記載の発明によれば、被施療者が硬質状フレームを背にして立つか仰向けに寝た状態で、硬質状フレームに支持された右背面用追圧手段を前方に移動させると共にバンドに支持された左前面用追圧手段を後方に移動させ且つ前記硬質状フレームに支持された左背面用追圧手段及びバンドに支持された右前面用追圧手段を停止状態に保持したため、右側の腸骨が後方から押されて右側の仙腸関節を中心に前方に移動され、左側の腸骨が前方から押されて左側の仙腸関節を中心に後方に移動される。次に、前記左背面用追圧手段を前方に移動させると共に前記右前面用追圧手段を後方に移動させ且つ前記右背面用追圧手段及び前記左前面用追圧手段を停止状態に保持したため、右側の腸骨が前方から押されて右側の仙腸関節を中心に後方に移動され、左側の腸骨が後方から押されて左側の仙腸関節を中心に前方に移動される。どちらの腸骨を先に押すかの順番はこだわらない。こうして、被施療者の左右の仙腸関節に刺激を与えて、硬くなった動きを取り戻すことで、骨盤のバランスを回復できる。
【００１３】
請求項２に記載の発明によれば、バンドには、被施療者の大腿部を縛ることが可能なる大腿部緊帯バンドを吊設してなるため、大腿部の動きが大腿部緊帯バンドにより制限されている状態となるにもかかわらず、被施療者の左右の仙腸関節に刺激を受けるので、より仙腸関節への刺激が大きくなる。
【００１４】
請求項３に記載の発明によれば、被施療者が硬質状フレームを背にして椅子の背凭れに凭れるか仰向けに寝た状態で、硬質状フレームに支持された右背面用追圧手段を前方に移動させると共に硬質第２フレームに支持された第２左前面用追圧手段を後方に移動させ且つ前記硬質状フレームに支持された左背面用追圧手段及び硬質第２フレームに支持された第２右前面用追圧手段を停止状態に保持したため、右側の腸骨が後方から押されて右側の仙腸関節を中心に前方に移動され、左側の腸骨が前方から押されて左側の仙腸関節を中心に後方に移動される。次に、前記左背面用追圧手段を前方に移動させると共に前記第２右前面用追圧手段を後方に移動させ且つ前記右背面用追圧手段及び前記第２左前面用追圧手段を停止状態に保持したため、右側の腸骨が前方から押されて右側の仙腸関節を中心に後方に移動され、左側の腸骨が後方から押されて左側の仙腸関節を中心に前方に移動される。どちらの腸骨を先に押すかの順番はこだわらない。こうして、被施療者の左右の仙腸関節に刺激を与えて、硬くなった動きを取り戻すことで、骨盤のバランスを回復できる。
【００１５】
請求項４に記載の発明によれば、前記追圧手段は、エアバッグよりなるため、被施療者へ接触する部分の感触がソフトになり、無理な力が加わりにくいことになる。
【００１６】
請求項５に記載の発明によれば、前記エアバッグは、常時は平面状をなし且つ所定の大きさに膨満可能なるバッグ本体と、該バッグ本体にパイプを介して気体を圧送可能なるポンプとより構成してなるため、エアバッグへの気体の供給をポンプで制御すればよいことになり、著しい原価低減が図れることになる。
【００１７】
請求項６に記載の発明によれば、前記追圧手段には、所定の周波数での振動が可能なるバイブレータ手段を備えてなるため、骨盤を矯正しながら、身体全体に所定の周波数での振動を付与して心地よいマッサージ感を被施療者に与えることができる。
【００１８】
請求項７に記載の発明によれば、前記追圧手段には、所定温度に制御可能なるヒータ手段を備えてなるため、被施療者の臀部を中心に加熱され、血行の向上が図れることになる。
【発明を実施するための最良の形態】
【００１９】
被施療者の仙腸関節に刺激を与えて、硬くなった動きを取り戻すことで、骨盤のバランスを回復できる骨盤矯正器を提供する、という目的を、前記右背面用追圧手段を前方に移動させると共に前記左前面用追圧手段を後方に移動させたときに、前記左背面用追圧手段及び前記右前面用追圧手段を停止状態に保持可能とし、前記左背面用追圧手段を前方に移動させると共に前記右前面用追圧手段を後方に移動させたときに、前記右背面用追圧手段及び前記左前面用追圧手段を停止状態に保持可能なるように制御したことで、実現した。
【実施例１】
【００２０】
図１乃至図７は、この発明の第１実施例を示す図である。
【００２１】
符号１は、この実施例に用いられる骨盤矯正器であるが、図１を用いて、骨盤矯正器１を保持する被施療者９９の骨盤１００周りの説明をまず簡略に行う。骨盤１００は、腸骨１０１，１０２と、坐骨１０３，１０４と、恥骨１０５，１０６と、仙骨１０７と、尾骨１０８とよりなる。腸骨１０１，１０２と仙骨１０７とを繋いでいる左右の関節が仙腸関節１０９，１１０である。符号１１１は、仙骨１０７の上に乗っている腰椎で、該腰椎１１１に脊椎１１２が長く連なっている。骨盤１００には、大腿骨１１３、１１４が嵌合支持されている。仙腸関節１０９，１１０は、３次元的に見ると、前外側の方向となっていて、もともと略平面状に形成されているため、滑りやすくできていて、該仙腸関節１０９，１１０の周りを取り囲む強靱な靱帯と筋肉（何れも図示しない）とによってすべらないように保持されている。しかし、経時により仙腸関節１０９，１１０のどちらかが多少ずれることで、仙骨１０７が図１に示すように傾いてしまう（図１は左側に傾いている）可能性がある。脊椎１１２は、仙骨１０７の傾きを修正するべく、図１に示すように、歪んでしまうことがある。
【００２２】
前記骨盤矯正器１は、左背面用追圧手段２及び右背面用追圧手段３と、被施療者９９の骨盤１００を巻装可能なる非伸縮性のバンド４、４と、左前面用追圧手段５及び右前面用追圧手段６と、制御手段７と、前記左背面用追圧手段２及び右背面用追圧手段３より上側（被施療者９９の上半身９８側）に配された腰部追圧手段８，９と、前記バンド４，４より吊設帯１０，１０により吊架され且つ被施療者９９の大腿部１１５，１１６を緊帯可能なる非伸縮性の大腿部緊帯バンド１１とよりなる。
【００２３】
ここで「骨盤１００を巻装可能」と言う表現を用いているが、骨盤１００そのもの、つまり、骨を直接巻装するわけでは当然なく、骨盤１００を覆う被施療者９９の腰部１１７まわりなどを巻装することであり、腰部１１７等を介して骨盤１００に力が加わる関係になっていることを意味させているために、かかる表現を用いていることは言うまでもない。大腿部１１５，１１６と大腿骨３，１１４との関係も同じである。この発明において、全て同じ用法である。
【００２４】
前記制御手段７は、エアポンプ１５と、該エアポンプ１５にそれぞれ接続してなるパイプ１６，１７，１８，１９，２０，２１と、図示しない演算装置とよりなり、該演算装置によって、前記右背面用追圧手段３を膨満させて前方に移動させると共に前記左前面用追圧手段５を膨満させて後方に移動させたときに、前記左背面用追圧手段２及び前記右前面用追圧手段６を停止状態に保持可能とし、前記左背面用追圧手段２を膨満させて前方に移動させると共に前記右前面用追圧手段６を膨満させて後方に移動させたときに、前記右背面用追圧手段３及び前記左前面用追圧手段５を停止状態に保持可能なるように制御する。
【００２５】
前記左背面用追圧手段２及び右背面用追圧手段３は、図３に示すように、常時は平面状をなす膨満可能なるエアバッグよりなり、該エアバッグのバッグ本体と気体を圧送可能なるエアポンプ１５とがパイプ１６，１７によりそれぞれ連通されている。また、前記左背面用追圧手段２及び右背面用追圧手段３は、図５に示すように、ベッドなどの硬質状フレーム１２に仰向けに寝ころんだ被施療者９９の左右双方の腸骨１０１，１０２の背面（被施療者９９の背中側という意味。以下同じ。）それぞれに対向する位置に支持されていることで、該腸骨１０１，１０２を前方（この実施例では上側の意味。以下同じ）に移動させることが可能なるように膨満可能とされている。即ち、常時は、硬質状フレーム１２の上に配されているだけであり、エアポンプ１５を稼働することで、前記左背面用追圧手段２及び右背面用追圧手段３が膨満すると、前記左背面用追圧手段２及び右背面用追圧手段３は、硬質状フレーム１２を下方に押しても変形せず、全ての膨満エネルギが硬質状フレーム１２の上方のみで膨満することにある。従って、被施療者９９の左右双方の腸骨１０１，１０２の背面を下方から上方に押し上げることを可能としている。
【００２６】
前記左前面用追圧手段５及び右前面用追圧手段６は、図３に示すように、常時は平面状をなす膨満可能なるエアバッグよりなり、該エアバッグのバッグ本体と気体を圧送可能なるエアポンプ１５とがパイプ１８，１９によりそれぞれ連通されている。また、前記左前面用追圧手段５及び右前面用追圧手段６は、上下に並列に設けられた前記バンド４，４に支持され且つ該バンド４，４を被施療者９９の骨盤１００に巻装してタング１３，１３をバックル１４，１４に係止した状態で被施療者９９の左右双方の腸骨１０１，１０２の前面（被施療者９９の腹側という意味。以下同じ。）それぞれに対向する位置になるように支持される。この状態で、前記腸骨１０１，１０２を後方（仰向けに寝ころんだ被施療者９９にとって下方の意味。以下同じ）に移動させることが可能なるように膨満可能とされている。タング１３とバックル１４とは、図示しない周知の解除手段により係止状態を解除可能である。
【００２７】
前記腰部追圧手段８，９は、図３に示すように、常時は平面状をなす膨満可能なるエアバッグよりなり、該エアバッグのバッグ本体と気体を圧送可能なるエアポンプ１５とがパイプ２０，２１によりそれぞれ連通されている。また、前記腰部追圧手段８，９は、前記制御手段７により、前記左背面用追圧手段２及び右背面用追圧手段３と同期して膨満と停止状態とを繰り返す。
【００２８】
前記大腿部緊帯バンド１１は、前記バンド４，４より吊設帯１０，１０により吊架されていることで、前記バンド４，４を被施療者９９の骨盤１００を巻装する際に、同時に被施療者９９の大腿部１１５，１１６を緊帯することが可能で、面ファスナー２２，２３により被施療者９９の骨盤１００を巻装した状態に保持可能とされている。
【００２９】
前記左背面用追圧手段２及び右背面用追圧手段３と、左前面用追圧手段５及び右前面用追圧手段６と、腰部追圧手段８，９とには、所定の周波数での振動が可能なる図示しないバイブレータ手段及び所定温度に制御可能なるヒータ手段を備えてなる。該バイブレータ手段及びヒータ手段は、前記手段２，３，５，６，８，９の全てに施される必要はなく、適宜取捨選択しても良いことは勿論である。
【００３０】
かかる第１実施例の構成による作用について、次に説明する。
【００３１】
被施療者９９が硬質状フレーム１２上に仰向けに寝る。この際に、図２に示すように、前記左背面用追圧手段２及び右背面用追圧手段３の上に、被施療者９９の左右の腸骨１０１，１０２の位置とを合致させる。また、バンド４，４を巻装して、バックル１４とタング１３とを係止させる。この際に、図２に示すように、被施療者９９の左右の坐骨１０３，１０４の位置に前記左前面用追圧手段５及び右前面用追圧手段６を合致させる。被施療者９９の腰椎１１１は、前記腰部追圧手段８，９上にある。そして、前記大腿部緊帯バンド１１でもって、被施療者９９の骨盤１００を巻装して、面ファスナー２２，２３により被施療者９９の骨盤１００を巻装した状態に保持させる。
【００３２】
この状態にすることは、被施療者９９自身でもできるし、家族の者が行うこともできる簡易な作業である。
【００３３】
この状態で、制御手段７を制御して、図６に示すように、硬質状フレーム１２に支持された右背面用追圧手段３に気体を送って膨満させると、被施療者９９の右腰全体が前方（図６で上方。以下同じ。）に移動させられる。前記右腰全体が前方に移動されると共にバンド４に支持された左前面用追圧手段５を膨満させることで、左腰全体が後方（図６の下方。以下同じ。）に移動させられる。この時、大腿部１１５，１１６は、大腿部緊帯バンド１１でもって縛られているので、腰部１１７のみが捻られる。尚、前記硬質状フレーム１２に支持された左背面用追圧手段２及びバンド４に支持された右前面用追圧手段６が停止状態に保持されている。前記停止状態に保持する、とは、エアポンプ１５による気体の圧送を停止して、前記追圧手段２，３，５，６，８，９の何れかから気体を抜く状態を言う。
【００３４】
従って、腰部１１７の右側の腸骨１０２が後方から押されて右側の仙腸関節１１０を中心に前方に移動され、左側の腸骨１０１が前方から押されて左側の仙腸関節１０９を中心に後方に移動される。
【００３５】
次に、前記した状態で、制御手段７を制御して、図７に示すように、硬質状フレーム１２に支持された左背面用追圧手段２を膨満させると、被施療者９９の左腰全体が前方に移動させられる。前記左腰全体が前方に移動されると共にバンド４に支持された右前面用追圧手段６を膨満させることで、右腰全体が後方に移動させられる。この時、大腿部１１５，１１６は、大腿部緊帯バンド１１でもって縛られているので、腰部１１７のみが捻られる。尚、前記硬質状フレーム１２に支持された右背面用追圧手段３及びバンド４に支持された左前面用追圧手段５が停止状態に保持されている。
【００３６】
従って、腰部１１７の右側の腸骨１０２が前方から押されて右側の仙腸関節１１０を中心に後方に移動され、左側の腸骨１０１が後方から押されて左側の仙腸関節１０９を中心に前方に移動される。どちらの腸骨１０１，１０２を先に押すかの順番はこだわらない。こうして、被施療者９９の左右の仙腸関節１０９，１１０に沿った力を加えることで、専門医の矯正等が無くても繰り返し刺激を与えることができ、硬くなった動きを取り戻すことで、骨盤１００のバランスを回復できる。
【００３７】
バンド４，４には、被施療者９９の大腿部１１５，１１６を縛ることが可能なる大腿部緊帯バンド１１を吊設してなるため、大腿部１１５，１１６の動きが大腿部緊帯バンド１１により制限されている状態となるにもかかわらず、被施療者９９の左右の仙腸関節１０９，１１０に刺激を受けるので、より仙腸関節１０９，１１０への刺激が大きくなる。
【００３８】
前記追圧手段２，３，５，６，８，９は、エアバッグよりなるため、被施療者９９へ接触する部分の感触がソフトになり、無理な力が加わりにくいことになる。
【００３９】
前記エアバッグは、常時は平面状をなし且つ所定の大きさに膨満可能なるバッグ本体と、該バッグ本体にパイプ１６，１７，１８，１９，２０，２１を介して気体を圧送可能なるポンプ１５とより構成してなるため、エアバッグへの気体の供給をポンプ１５で制御すればよいことになり、著しい原価低減が図れることになる。
【００４０】
前記追圧手段２，３，５，６，８，９には、所定の周波数での振動が可能なるバイブレータ手段を備えてなるため、骨盤１００を矯正しながら、身体全体に所定の周波数での振動を付与して心地よいマッサージ感を被施療者に与えることができる。
【００４１】
前記追圧手段２，３，５，６，８，９には、所定温度に制御可能なるヒータ手段を備えてなるため、被施療者の臀部を中心に加熱され、血行の向上が図れることになる。
【実施例２】
【００４２】
図８及び図９は、この発明の第２実施例を示す図である。第１実施例と主に異なる点は、椅子に組み込んだ骨盤矯正器である点にある。第１実施例と同じ或いは類似の構成は同一符号及び同一名称を用い、重複する説明は可能な限り割愛する。
【００４３】
符号３０は、この実施例の骨盤矯正器であり、該骨盤矯正器３０は、椅子３１に組み込まれる。即ち、椅子３１の「硬質状フレーム」であるシートバック３２に組み込まれる左背面用追圧手段２及び右背面用追圧手段３と、座席３１のアームレスト３３、３３に左右対称に組み込まれる左前面用追圧手段５及び右前面用追圧手段６と、制御手段７（図３参照）とよりなる。符号３５はシートバック３２に配されるヘッドレストであり、符号３６はシートクッション３４から吊下げられたオットマンである。
【００４４】
前記左背面用追圧手段２及び右背面用追圧手段３は、常時は平面状をなして椅子３１のシートバック３２と一体感をなす（異物感を与えない）状況で保持され且つ膨満可能なるエアバッグよりなり、該エアバッグのバッグ本体と気体を圧送可能なるエアポンプ１５とがパイプ１６，１７（図３参照）によりそれぞれ連通されている。また、前記左背面用追圧手段２及び右背面用追圧手段３のシートバック３２への支持位置は、シートクッション３４に着座した被施療者２９がシートバック３２に凭れかかった状態で、被施療者９９の左右双方の腸骨１０１，１０２の背面それぞれに対向する位置である。被施療者９９の体格に確実に合せられように、該前記左背面用追圧手段２及び右背面用追圧手段３の位置を移動式にしても良い。こうすることで、該腸骨１０１，１０２を前方に移動させることが可能なるように膨満可能とされている。即ち、常時は、シートバック３２の前方に配されているだけであり、エアポンプ１５を稼働することで、前記左背面用追圧手段２及び右背面用追圧手段３が膨満すると、前記左背面用追圧手段２及び右背面用追圧手段３は、シートバック３２を後方に押しても変形せず、全ての膨満エネルギがシートバック３２の前方のみで膨満することにある。従って、被施療者９９の左右双方の腸骨１０１，１０２の背面を後方から前方に押すことができることを可能としている。
【００４５】
前記左前面用追圧手段５及び右前面用追圧手段６は、常時はアームレスト３３内に折り畳まれていて膨満可能なるエアバッグよりなり、該エアバッグのバッグ本体と気体を圧送可能なるエアポンプ１５とがパイプ１８，１９（図３参照）によりそれぞれ連通されている。また、前記左前面用追圧手段５及び右前面用追圧手段６は、膨満状態になった際に、シートクッション３４に着座した被施療者２９がシートバック３２に凭れかかった状態で、被施療者９９の左右双方の腸骨１０１，１０２の前面それぞれに対向する位置になるように支持される。この状態で、前記腸骨１０１，１０２を後方に移動させることが可能なるように膨満可能とされている。
【００４６】
前記左背面用追圧手段２及び右背面用追圧手段３とには、所定の周波数での振動が可能なる図示しないバイブレータ手段及び所定温度に制御可能なるヒータ手段を備えてなる。該バイブレータ手段及びヒータ手段の何れかのみが設けられているものでも良いことは勿論である。
【００４７】
かかる第２実施例の構成による作用について、次に説明する。
【００４８】
被施療者９９が椅子３１のシートクッション３４に着座し、シートバック３２に凭れかかると、前記左背面用追圧手段２及び右背面用追圧手段３の前方に、被施療者９９の左右の腸骨１０１，１０２がある。この状態にすることは、被施療者９９自身でもできるし、家族の者が行うこともできる簡易な作業である。
【００４９】
この状態で、制御手段７を制御して、シートバック３２に支持された右背面用追圧手段３に気体を送って膨満させると、図９に示すように、被施療者９９の右腰全体が前方に移動させられる。前記右腰全体が前方に移動されると共にアームレスト３３に支持された左前面用追圧手段５を膨満させることで、左腰全体が後方に移動させられる。この時、被施療者９９は椅子３１に座っているので、大腿部１１５，１１６はその位置に保持されるから、腰部１１７のみが捻られる。尚、前記シートバック３２に支持された左背面用追圧手段２及びアームレスト３３に支持された右前面用追圧手段６が停止状態に保持されている。
【００５０】
従って、腰部１１７の右側の腸骨１０２が後方から押されて右側の仙腸関節１１０を中心に前方に移動され、左側の腸骨１０１が前方から押されて左側の仙腸関節１０９を中心に後方に移動される。
【００５１】
次に、前記した状態で、制御手段７を制御して、シートバック３２に支持された左背面用追圧手段２を膨満させると、被施療者９９の左腰全体が前方に移動させられる。前記左腰全体が前方に移動されると共にアームレスト３３に支持された右前面用追圧手段６を膨満させることで、右腰全体が後方に移動させられる。この時、被施療者９９は椅子３１に座っているので、大腿部１１５，１１６はその位置に保持されるから、腰部１１７のみが捻られる。尚、前記シートバック３２に支持された右背面用追圧手段３及びアームレスト３３に支持された左前面用追圧手段５が停止状態に保持されている。
【００５２】
従って、腰部１１７の右側の腸骨１０２が前方から押されて右側の仙腸関節１１０を中心に後方に移動され、左側の腸骨１０１が後方から押されて左側の仙腸関節１０９を中心に前方に移動される。どちらの腸骨１０１，１０２を先に押すかの順番はこだわらない。こうして、被施療者９９の左右の仙腸関節１０９，１１０に沿った力を加えることで、専門医の矯正等が無くても繰り返し刺激を与えることができ、硬くなった動きを取り戻すことで、骨盤１００のバランスを回復できる。
【００５３】
前記追圧手段２，３、５，６は、エアバッグよりなるため、被施療者９９へ接触する部分の感触がソフトになり、無理な力が加わりにくいことになる。
【００５４】
前記エアバッグは、常時は平面状をなし且つ所定の大きさに膨満可能なるバッグ本体と、該バッグ本体にパイプ１６，１７，１８，１９を介して気体を圧送可能なるポンプ１５とより構成してなるため、エアバッグへの気体の供給をポンプ１５で制御すればよいことになり、著しい原価低減が図れることになる。
【００５５】
前記追圧手段２，３には、所定の周波数での振動が可能なるバイブレータ手段を備えてなるため、骨盤１００を矯正しながら、身体全体に所定の周波数での振動を付与して心地よいマッサージ感を被施療者に与えることができる。
【００５６】
前記追圧手段２，３には、所定温度に制御可能なるヒータ手段を備えてなるため、被施療者の臀部を中心に加熱され、血行の向上が図れることになる。
【産業上の利用可能性】
【００５７】
前記第１実施例においては、硬質状フレーム１２の例として、ベッドであるとしたが、これに限定されるものではなく、床、ベンチなど被施療者９９が横臥して被施療者９９の体重が左背面用追圧手段２及び右前面用追圧手段３に加わることが可能な関係にあればよい。
【００５８】
また、前記第１実施例においては、硬質状フレーム１２の例として、ベッドであるとしたが、これに限定されるものではなく、室内の周囲の壁などのように立っているものに左背面用追圧手段２及び右前面用追圧手段３を配設し、該壁などに沿って立つ被施療者９９が凭れかかる関係にあるものでも良い。
【００５９】
また、前記腰部追圧手段８，９は、制御手段７により、前記左背面用追圧手段２及び右背面用追圧手段３と同期して膨満と停止状態とを繰り返すとして説明したが、これに限定されるものではなく、所定の膨満状態などに保持したまま或いは常時停止状態にあって必要に応じて膨満するようにしても良い。
【００６０】
また、左背面用追圧手段２及び右背面用追圧手段３と、左前面用追圧手段５及び右前面用追圧手段６とを、エアバッグによりなるとして説明したが、これに限定されるものではなく、ねじ部などにより所定の方向に追圧可能なるようにしても良い。
【図面の簡単な説明】
【００６１】
【図１】被施療者を背面側から見た透視図。
【図２】図１の被施療者の正面側に図３の骨盤矯正具を支持した状態を示す正面図。
【図３】この発明の第１実施例に係る骨盤矯正具を示す斜視図。
【図４】図２の状態の側面図。
【図５】図４のＳＡ−ＳＡ線に沿った断面図。
【図６】図５の作用説明断面図。
【図７】図６とは異なる図５の作用説明断面図。
【図８】この発明の第２実施例に係る骨盤矯正具を示す斜視図。
【図９】図８の図６相当断面図。
【符号の説明】
【００６２】
１，３０  骨盤矯正具
２  左背面用追圧手段
３  右背面用追圧手段
４  バンド
５  左前面用追圧手段
６  右前面用追圧手段
７  制御手段
８，９  腰部追圧手段
１１  大腿部緊帯バンド
１２  硬質状フレーム
１５  エアポンプ
１６，１７，１８，１９，２０，２１  パイプ
３１  椅子
３２  「硬質状フレーム」であるシートバック
３３  アームレスト
９９  被施療者
１００  骨盤
１０１，１０２  腸骨
１０７  仙骨
１０９，１１０  仙腸関節
１１５，１１６  大腿部
１１７  腰部
【図１】
2007037799.tif 000003
【図２】
2007037799.tif 000004
【図３】
2007037799.tif 000005
【図４】
2007037799.tif 000006
【図５】
2007037799.tif 000007
【図６】
2007037799.tif 000008
【図７】
2007037799.tif 000009
【図８】
2007037799.tif 000010
【図９】
2007037799.tif 000011